(57)【要約】【課題】本発明は、壁面等へ着脱が容易で、かつ、脱落を抑制することができる棚の取付構造の提供を目的とする。【解決手段】本発明は、背面に設けられた複数のだるま孔形状の係合部を有する棚と、壁面に固定された複数の係止部材とを具備し、前記係止部材に前記係合部を係合させ、前記棚を壁面に対し着脱可能とする棚の取付構造であって、前記係止部材は、頭部と前記頭部より小径の軸部を有し、前記頭部と前記軸部の中心部を貫通する貫通孔を形成した係止部材であり、前記貫通孔に挿通可能、かつ、前記壁面に取り付け可能な固定材を有し、前記背面板の左右端に設けられた端部側だるま孔が、大径部と小径部を具備してなり、前記大径部と前記小径部の接続端の開口幅寸法が、前記係止部の軸部の外径より狭い狭持部を有することを特徴とする。【選択図】図１
2020156920.tif 000002
【特許請求の範囲】
【請求項１】
背面に設けられた複数のだるま孔形状の係合部を有する棚と、壁面に固定された複数の係止部材とを具備し、前記係止部材に前記係合部を係合させ、前記棚を壁面に対し着脱可能とする棚の取付構造であって、
前記係止部材は、頭部と前記頭部より小径の軸部を有し、前記頭部と前記軸部の中心部を貫通する貫通孔を形成した係止部材であり、前記貫通孔に挿通可能、かつ、前記壁面に取り付け可能な固定材を有し、
前記背面板の左右端に設けられた端部側だるま孔が、大径部と小径部を具備してなり、前記大径部と前記小径部の接続端の開口幅寸法が、前記係止部の軸部の外径より狭い狭持部を有することを特徴とする棚の取付構造。
【請求項２】
前記棚が、棚板本体と、該棚板本体の前面側に前記棚板本体の裏面側に向いて突出された前面板と、前記棚板本体の両側面側に前記棚板本体の裏面側に向いて突出された側面板と、前記棚板本体の背面側に前記棚板本体の裏面側に突出された背面板とを具備し、前記背面板を貫通して複数のだるま孔形状の係合部が設けられたことを特徴とする請求項１に記載の棚の取付構造。
【請求項３】
前記背面の左右端の端部側だるま孔の間に、大径部と小径部を具備する中央側だるま孔が形成され、前記端部側だるま孔の前記小径部の内径より、前記中央側だるま孔の前記小径部の内径が大きく、前記端部側だるま孔の前記開口幅寸法より、前記中央側だるま孔の大径部と小径部の接続端の開口幅寸法が大きくされたことを特徴とする請求項１または請求項２に記載の棚の取付構造。
【請求項４】
前記棚の側断面は、略コ字状形状であり、前記棚板本体の厚さ方向に平行な前記背面板の長さ寸法に対して、前記棚板本体の厚さ方向に平行な前記前面板の長さ寸法が、相対的に小さいことを特徴とする請求項１乃至請求項３のいずれか一項に記載の棚の取付構造。
【請求項５】
前記背面の前記壁面に当接する外周縁にＲ形状部を設けたことを特徴とする請求項１乃至請求項４のいずれか一項に記載の棚の取付構造。
【請求項６】
前記壁面に当接する前記棚の背面側であって、前記だるま孔の外周縁を囲む位置に、前記壁面と離隔する方向に窪む凹部を設けたことを特徴とする請求項１乃至請求項５に記載の棚の取付構造。
【請求項７】
前記棚の上面に対し前記背面が９０°を超える交差角度で傾斜され、前記壁面への取付状態で前記棚の上面に前記壁面側に向く下がり勾配が付与されたことを特徴とする請求項１乃至請求項６のいずれか一項に記載の棚の取付構造。
【発明の詳細な説明】
【技術分野】
【０００１】
本発明は、棚を、壁面等の取付面へ着脱可能に取付けるための構造に関する。
【背景技術】
【０００２】
従来、棚を壁面に取付ける方法として、棚を壁面に直接ネジ止め固定する方法が広く用いられているが、この方法では、棚の下面（裏側）や棚と壁面との隙間が清掃しにくく、特に膝の高さほどの低い位置に取付けてある棚の場合、下側が見えるように大きく前屈みで覗き込むような姿勢をとる必要があった。
【０００３】
そこで、棚本体と取付面の清掃を容易にするため、フックを利用して棚を着脱可能に取付ける構造が用いられている。
【０００４】
特許文献１では、大径の頭部と小径の軸部とを有するフックと、フックの軸部と掛合するガイド溝とからなり、ガイド溝は、一端にある開口部と他端にあって軸部が突き当たる突当部と、突当部と開口部との間にある一つまたは複数の屈曲部により、棚をスライドさせて着脱可能とする構造により、不用意に当たってしまった場合でも落下しにくく、かつ着脱自在な係合方法が開示されている。
【０００５】
さらに、特許文献２では、支持体を棚本体の背面部の下方に開口したスリットに係合させた後、支持体がスリットから離脱することを阻止するロック部材を棚本体に設けた構造により、使用時に意図しない何らかの力が加わったとしても、棚が脱落することを確実に防止する方法が開示されている。
【先行技術文献】
【特許文献】
【０００６】
【特許文献１】特開２０１０−１２１６７０号公報
【特許文献２】特開２０１２−０４５０２５号公報
【発明の概要】
【発明が解決しようとする課題】
【０００７】
棚の背面部に形成されたガイド溝をフックの軸部に係合させる構造を用いれば、棚は着脱可能となるが、棚の上方向の動きを抑制する手段がなく、容易に持ち上がってしまうため、棚の上面に置いた物を取ろうとした時に不用意に手や脚が棚に当たった場合に棚ががたついたり、棚上面の物品が転倒、落下したり、また、棚本体が外れて落下してしまう等の問題があった。
【０００８】
特許文献１に記載の構造では、屈曲部を有するガイド溝の一端が開口されており掛合部の強度が低下することで、比較的荷重が掛かる洗面器置き台やカウンター等への適用は避けられるなどの問題点があった。
さらに、屈曲部を有するガイド溝により着脱時に棚を斜め横方向に移動させる動作が必要となり、部屋のコーナー側に寄せて取付けたり、他の部品が棚に隣接して取付けられていると着脱動作を行うことができなく、設置場所が限定されるなどの問題点があった。
【０００９】
また、特許文献２に記載の構造では、棚の脱落防止としてロック部材が用いられているが、着脱時にロック部材の施錠と解除作業の煩雑さを伴うと共に、施錠忘れによる脱落のリスクがあるなどの問題点があった。
さらに、ロック部材とその周辺の形状が複雑かつ凹凸形状を有しており、汚れが付着しやすく、清掃性が劣るなどの問題点があった。
【００１０】
本発明は、上記従来の問題点を鑑みなされたものであって、十分な取付強度を確保しながら、簡便な方法で着脱可能に棚を取付け可能とし、また、不用意な力が加わっても容易には脱落することがなく、かつ、棚の清掃性に優れた着脱可能な棚の取付構造を提供することにある。
【課題を解決するための手段】
【００１１】
本発明は、上記課題を解決する手段として、以下の構成を有する。
（１）本発明に係る棚の取付構造は、背面に設けられた複数のだるま孔形状の係合部を有する棚と、壁面に固定された複数の係止部材とを具備し、前記係止部材に前記係合部を係合させ、前記棚を壁面に対し着脱可能とする棚の取付構造であって、前記係止部材は、頭部と前記頭部より小径の軸部を有し、前記頭部と前記軸部の中心部を貫通する貫通孔を形成した係止部材であり、前記貫通孔に挿通可能、かつ、前記壁面に取り付け可能な固定材を有し、前記背面板の左右端に設けられた端部側だるま孔が、大径部と小径部を具備してなり、前記大径部と前記小径部の接続端の開口幅寸法が、前記係止部の軸部の外径より狭い狭持部を有することを特徴とする。
【００１２】
（２）本発明に係る棚の取付構造は、前記棚が、棚板本体と、該棚板本体の前面側に前記棚板本体の裏面側に向いて突出された前面板と、前記棚板本体の両側面側に前記棚板本体の裏面側に向いて突出された側面板と、前記棚板本体の背面側に前記棚板本体の裏面側に突出された背面板とを具備し、前記背面板を貫通して複数のだるま孔形状の係合部が設けられたことを特徴とする。
（３）本発明に係る棚の取付構造は、（１）または（２）に記載の棚の取付構造において、前記背面の左右端の端部側だるま孔の間に、大径部と小径部を具備する中央側だるま孔が形成され、前記端部側だるま孔の前記小径部の内径より、前記中央側だるま孔の前記小径部の内径が大きく、前記端部側だるま孔の前記開口幅寸法より、前記中央側だるま孔の大径部と小径部の接続端の開口幅寸法が大きくされたことを特徴とする。
【００１３】
（４）本発明に係る棚の取付構造は、（１）乃至（３）のいずれかに記載の棚の取付構造において、前記棚の側断面は、略コ字状形状であり、前記棚の厚さ方向に平行な前記背面寸法に対して、前記棚の厚さ方向に平行な前記前面板の長さ寸法が、相対的に小さいことを特徴とする。
【００１４】
（５）本発明に係る棚の取付構造は、（１）乃至（４）のいずれかに記載の棚の取付構造において、前記背面の前記壁面に当接する外周縁にＲ形状部を設けたことを特徴とする。
【００１５】
（６）本発明に係る棚の取付構造は、（１）乃至（５）のいずれかに記載の棚の取付構造において、前記壁面に当接する前記棚の背面側であって、前記だるま孔の外周縁を囲む位置に、前記壁面と離隔する方向に窪む凹部を設けたことを特徴とする。
（７）本発明に係る棚の取付構造は、（１）乃至（６）のいずれかに記載の棚の取付構造において、前記棚の上面に対し前記背面が９０°を超える交差角度で傾斜され、前記壁面への取付状態で前記棚の上面に前記壁面側に向く下がり勾配が付与されたことを特徴とする。
【発明の効果】
【００１６】
本発明によれば、壁面に取付けた係止部材に棚の背面のだるま孔を係合させることにより、壁面に棚を着脱可能に取付けることができる。また、棚の左右端に設けられた端部側だるま孔は、大径部と小径部の接続端の開口幅寸法が、小径部の外径より狭い狭持部を有するので、だるま孔の大径部に係止部材を位置合わせして棚を挿入し、棚を押し下げて挟持部を介し係止部材の軸部を端部側だるま孔の小径部に挿入する操作を行うだけで棚の取り付けが完了する。
端部側だるま孔の小径部に挿入した係止部材の軸部を挟持部が抜け止めするため、係止部材が端部側だるま孔の小径部から離脱することが抑制され、使用時の不用意な力で棚が容易に脱落することを防止できる。
【００１７】
棚板本体に前面板と側面板と背面板を一体化して棚を構成し、棚板本体を前面板と側面板と背面板が補強することにより棚の剛性が向上する。この構成において、背面板を貫通するように形成しただるま孔は背面板の内側に開口されているが、だるま孔の存在による棚の剛性低下は殆ど生じないので、棚の取付強度の確保と棚の変形抑制に寄与する構成を提供できる。
【００１８】
横幅の広い棚や取付強度を確保する場合に、中央部に１以上の係止部材と係合部を設けることで対応することができる。ここで、左右端の端部側だるま孔の小径部と挟持部に対して、中央側だるま孔の小径部と挟持部をいずれも大きく形成することで、係止部材の取付け高さやピッチにおける多少のずれを吸収して棚の着脱ができる。
中央側だるま孔の小径部の内径と開口幅寸法を端部側だるま孔の該当部分より大きくすることで、棚の左右のどちらかの端部側だるま孔を先に係止部材に係合し、残りのだるま孔を係止部材に係合し、棚を斜め上下左右方向に微妙に移動させつつ係合する時に、当り防止としてのクリアランス効果を中央側だるま孔が併せ持つという効果を奏する。
【００１９】
棚の厚さ方向に平行な背面の寸法を前面の同一方向寸法に対し大きくすることで、利用状態において係止部材とだるま孔を棚で隠して正面側斜め上方から見えない外観とすることができ、棚として外観を損なうことが無い。また、この構成により、壁面に接する棚の背面側の面積を大きくできるので、棚の取付安定性が向上し、棚の先端側に不意な力が作用しても棚が簡単には外れない構成とすることができる。
更に、棚の上面を壁面側に下がり勾配としておくことで、棚上面の排水性を向上できるとともに、棚の上面と略同じ高さまで目線を落とすと、係止部材とだるま孔を目視することができ、使用者にだるま孔の存在を視認可能にできるので、使用者にだるま孔を介する係止部材の離脱を認知させることができ、棚の着脱を容易に行うことができる。
【００２０】
また、棚のガタツキ等が発生しないように、棚の背面と壁面を密着させて着脱を行うため、背面の外周縁にＲ形状部を形成することで、着脱動作による棚と壁面との擦り傷の発生を抑制することができる。
【００２１】
さらに、だるま孔の外周縁を囲むように、壁面から離隔する方向に窪む凹部を設けることで、着脱動作で応力が一番集中する係合部の外縁と壁面との擦り傷の発生を抑制することができる。
【図面の簡単な説明】
【００２２】
【図１】棚、係止部材を分離して示し、棚板の取付構造を正面側から見た斜視図である。
【図２】棚、係止部材を分離して示し、棚板の取付構造を背面側から見た斜視図である。
【図３】（Ａ）は棚を正面側から見た正面図、（Ｂ）は同棚の側面図である。
【図４】（Ａ）は棚を係止部材に係合させる第一段階の断面図、（Ｂ）は棚を取付位置に移動させた最終段階の断面図である。
【図５】利用者が目視で係合部の確認を行う場合の参考図である。
【図６】壁面に取付けた棚の平面図である。
【図７】（Ａ）は棚の係合部のうち、両端側に設けられている端部側だるま孔を示す背面側拡大図、（Ｂ）は中央側だるま孔の背面側拡大図である。
【図８】壁面に棚を取付けた浴室の一例を示す斜視図である。
【図９】係止部材の一例を示す断面図である。
【図１０】棚の着脱動作の一例を示す正面図である。
【発明を実施するための形態】
【００２３】
以下、本発明の実施形態を挙げて本発明の詳細を説明する。
本実施形態の棚１は図１、図６に示す様に、壁面３１０に固定された係止部材２に対し、図２〜図４に示すように棚１の背面１１０に設けられただるま孔形状の係合部１５０を係合させることで、壁面３１０に対し着脱自在に取り付けられている。
図に示す実施形態において棚１は、水平に近い状態で横長に支持された平板状の棚板本体１０と、棚板本体１０の前端側に下方に向いて（棚板本体１０の裏面側に向いて）一体に垂下された前面板１１と、棚板本体１０の両側面側に下方に向いて（棚板本体１０の裏面側に向いて）一体に垂下された側面板１２と、棚板本体１０の後端側に下方に向いて（棚板本体１０の裏面側に向いて）一体に延出された背面板１３とからなる。
【００２４】
棚板本体１０の板厚に対し前面板１１と側面板１２と背面板１３の板厚が同等程度に形成され、棚板本体１０の厚さ方向（上下方向）に平行な前面板１１の長さ（高さ）と側面板１２の長さ（高さ）は同等に形成されている。また、棚板本体１０の厚さ方向に平行な背面板１３の長さ（高さ）は、前面板１１の同方向長さ（高さ）の２倍程度に長く（高く）形成されている。
【００２５】
棚１は、一例として、棚板本体１０と前面板１１と側面板１２、１２と背面板１３を樹脂により一体成型した成型品から構成されている。
棚板本体１０に前面板１１と側面板１２、１２と背面板１３を一体化して棚１を構成し、棚板本体１０を前面板１１と側面板１２、１２と背面板１３が補強する一体成型品とすることにより棚１の剛性が向上している。
【００２６】
棚１はだるま孔形状の係合部１５０からの係合を解くことで壁面３１０から取り外すことができるので、棚１の背面１１０と壁面３１０が接している範囲を清掃するときは、棚１を簡単に取り外して清掃することができる。また、だるま孔形状の係合部１５０は棚１の背面１１０を構成する背面板１３の内側に開口されていることで、係合部１５０の剛性低下を抑制し、棚１の取付強度の確保と変形を抑制することができる。
【００２７】
図２及び図７に示す様に、背面板１３の左右端に設けられた端部側だるま孔１５１は、下側の大径部１５２と上側の小径部１５３からなる。また、端部側だるま孔１５１の大径部１５２と小径部１５３の接続端の開口幅寸法を小径部１５３の外径寸法より狭くした狭持部１５４が設けられている。この構造により、図４（Ａ）から図４（Ｂ）の順で示すように、係止部材２を大径部１５２に挿入し、棚１を押下して端部側だるま孔１５１の小径部１５３に係合させることで、棚１を係止部材２に着脱自在に取付けることができる。
尚、狭持部１５４の幅寸法は、以下に説明する係止部材２の軸部２２０の外径より小さいことで、軸部２２０が小径部１５３から離脱することを抑制することで、使用時や清掃時の不用意な力で棚１が脱落することを抑制できる。
【００２８】
図９に拡大して示す様に、係止部材２は、頭部２１０と頭部２１０より小径の軸部２２０とからなり、頭部２１０と軸部２２０の中心部を貫通する貫通孔２３０が形成され、更に、貫通孔２３０に挿入して壁面３１０の固定する固定材（ネジ）２４０を有している。
尚、端部だるま孔１５１の大径部１５２の外形は係止部材２の頭部２１０の外径より大きく、端部だるま孔１５１の小径部１５３の外形は、係止部材２の頭部２１０の外径より小さく、かつ、軸部２２０の外径より大きく形成されている。
【００２９】
また、図２、図３（Ａ）及び図７（Ｂ）に示す様に、背面板１３の幅方向（水平方向）中央側に２つの中央側だるま孔１５５が形成されている。端部側だるま孔１５１が背面板１３の両端部に形成されているのに対し、２つの中央側だるま孔１５５は相互に離間して背面板１３に形成されている。２つの中央側だるま孔１５５の間隔と、それら中央側だるま孔１５５の両側に隣接する端部側だるま孔１５１との間隔が略等しくなるように各だるま孔が背面板１３に形成されている。
【００３０】
中央側だるま孔１５５は、大径部１５６と小径部１５７からなる。中央側だるま孔１５５の大径部１５６の内径は、端部側だるま孔１５１の大径部１５２の内径と同等とされているが、中央側だるま孔１５５の小径部１５７の内径は端部側だるま孔１５１の小径部１５３の内径よりも若干大きくされている。また、端部側だるま孔１５１の大径部１５２と小径部１５３の接続端に形成されている挟持部１５４の開口幅寸法Ｈ１に対し、中央側だるま孔１５５の大径部１５６と小径部１５７の接続部の開口幅寸法Ｈ２は若干大きく形成されている。一例として、図７（Ｂ）に示すように、中央側だるま孔１５５の接続部の開口幅寸法Ｈ２は、小径部１５７の内径と同一に形成されている。
【００３１】
背面板１３において、４つのだるま孔１５１、１５５、１５５、１５１は背面板１３の略同一高さ位置に水平に整列形成されているが、これらだるま孔各部の上下高さ位置は微妙に異なる。
背面板１３において、その下端から同一高さに４つのだるま孔１５１、１５５、１５５、１５１の個々の大径部１５２、１５６、１５６、１５２の内底部が配置されている点は共通である。端部だるま孔１５１の大径部１５２と中央側だるま孔１５５の大径部１５６の内径は同等であるので、いずれのだるま孔も大径部の高さ位置は背面板１３に対し同等高さに配置されている。
しかし、端部だるま孔１５１の小径部１５３よりも中央側だるま孔１５５の小径部１５７の方が内径が大きいので、図7（Ａ）に示す背面板１３の下端から端部側だるま孔１５１の小径部１５３の内上端までの距離Ｈ３より、背面板１３の下端から中央側だるま孔１５５の小径部１５７の内上端までの距離Ｈ４の方が若干大きく形成されている。
【００３２】
中央側だるま孔１５５の小径部１５７の内径と接続部の開口幅寸法Ｈ２を、端部だるま孔１５１の対応部分の内径に対して大きく形成することで、係止部材２を取付ける位置の高さやピッチに多少のずれが発生しても吸収して棚１の着脱が容易かつ確実にできるようになり、棚１を取り付ける場合の施工性の向上を図ることができる。
尚、中央側だるま孔１５５の小径部１５７の内径のみを大きく形成することでも同様の効果を得ることができる。
【００３３】
以上の構成において、背面板１３を貫通するように形成した４つのだるま孔１５１、１５５、１５５、１５１は背面板１３の内側に開口されているが、棚板本体１０に前面板１１と側面板１２、１２と背面板１３を一体成型して剛体化しているので、だるま孔１５１、１５５、１５５、１５１の存在による棚１の剛性低下は殆ど生じない。このため、棚１の取付強度の確保と棚１の変形抑制に寄与する構成を提供できる。
【００３４】
さらに、図１０に示す様に、棚１を平行状態で上移動させて外す力より、棚１の左右端のどちらか一方の係止部材２を支点にして他方を上移動させて外す方が力を小さくすることができる。
【００３５】
また、図１０の矢印に示す方向に棚１を若干回転させる際、中央側だるま孔１５５の小径部１５７の内径と接続部の開口幅寸法が大きいことで、棚１の回転にともなう軸部２２０との当りを回避でき、棚１の回転を円滑にできるので、棚１の円滑な着脱動作を行うことができる。
即ち、中央側だるま孔１５５の小径部１５７の内径と開口幅寸法を端部側だるま孔１５１の該当部分より大きくすることで、棚１の左右のどちらかの端部側だるま孔１５１を先に係止部材２に係合し、残りのだるま孔を係止部材に係合し、棚１を斜め上下左右方向に微妙に移動させつつ係合する時に、当り防止としてのクリアランス効果を中央側だるま孔１５５が併せ持つという効果を奏する。また、係合を解除する場合も同様に中央側だるま孔１５５が当り防止としてのクリアランス効果を併せ持つ。
【００３６】
そして、この効果は、図７に示すように中央側だるま孔１５５の小径部１５７の外形が端部側だるま孔１５１の小径部１５３の外形より大きいことに加え、背面板１３の下端から端部側だるま孔１５１の小径部１５３の内上端までの距離Ｈ３より、背面板１３の下端から中央側だるま孔１５５の小径部１５７の内上端までの距離Ｈ４の方が若干大きいことによっても効果的に発揮される。
【００３７】
図２、図３（Ｂ）に示す様に、棚１の上面１３０は、前面１２０から背面１１０に向けて。換言すると壁面３１０に向かう下がり勾配となる排水勾配を設けることで、利用者側（前面１２０側）へ物品が転倒することがなく、使用者側に湯水が掛かかることを抑制することができる。
【００３８】
図１、図２、図６に示す様に、上面１３０の右端部側に小物が湯水等で流されて落下する排水路１１１を設けることで、小物の流出効果をさらに、高めることができる。
窪み１３１は、上面１３０の他の部分から一段低められた平面視略矩形状の凹部型の窪みであり、棚板本体１０において前面板１１よりも若干奥側の位置から棚板本体１０の最奥部まで達するように形成されている。窪み１３１の横幅は棚板本体１０の横幅の数分の一程度に形成されている。この窪み１３１の最奥部中央に位置するように、背面板１３の表面に縦溝を形成することで排水路１１１が形成されている。
このため、前述の下がり勾配によって窪み１３１内の湯水は排水路１１１に導かれ、速やかに棚1から排出される。
【００３９】
図５は図８の取付状態参照図に示す様に、背面１１０の垂下寸法に対して、前面１２０の垂下寸法を小さくすることで、利用者は通常の使用状態における目線で係止部材２及び係合部１５０を目視することがないので、通常使用時の目線で棚１の美観を損なうことがない。
また、図５に示すように使用者が姿勢を低くして棚１の上面１３０と略同じ高さまで目線を落とすことで、係止部材２及び係合部１５０の存在を前面板１１越しに目視することができ、棚１の着脱位置を容易に確認することができる。
使用者が姿勢を低くした目線で係止部材２及び係合部１５０の存在を目視できるのは、棚板本体１０に壁面３１０側に向く下がり勾配が付与されていて、前面板１１の下端が係止部材２及び係合部１５０の固定位置よりも若干上方に配置されているからである。
【００４０】
本実施形態の棚１は一例として図８に示すように、浴室３に設けられている床３３０の上方の壁面３１０であって、水栓３４０の取付け位置より若干上方に着脱自在に取り付けられている。この取付位置は、エプロン３５０を備える浴槽３２０の上面位置に準じる位置、あるいは、フロイスに座って手が届く位置であり、概ね、浴室の床面から４０〜７０ｃｍ程度の高さ位置である。
この位置に棚１が着脱自在に取付けられている場合、使用者が棚１を外すためには、だるま孔１５１、１５５の存在や係止部材２との係合構造を知っている場合は良いが、知らない場合、使用者は棚１をどのように取り外すのか、係合部１５０を低い目視でのぞき込んで把握する必要がある。
【００４１】
このため、図５に示すように前面板１１の下端近くに目線を落として係合部をのぞき込む必要がある。ここで、棚板本体１０に壁面３１０側に向かう下がり勾配が付与されていて、前面板１１の下端位置から係止部材２と係合部１５０の固定位置を見ると、係合部１５０を目視できることが重要である。棚１が浴室の床面から２５ｃｍ程度の高さ位置である場合、図５のように目線を落とすことは、通常身長の使用者であればこの高さ程度が限界でありこれ以上目線を下方にすることは難しい。
【００４２】
図５に示す低い目線により係合部１５０を目視した使用者が目視する状態が図３（Ａ）に示す状態となる。図３（Ａ）に示す状態では、４つのだるま孔１５１、１５５、１５５、１５１の小径部１５３、１５７、１５７、１５３に個々に係止部材２が挿通されて棚１が係止されている状態を使用者が目視認識できる。
また、使用者は係止部材２の軸部２２０を直接見ることはできないが、係止部材２の頭部２１０越しにだるま孔の大径部１５２、１５６、１５６、１５２の上部側の徐々に狭くなってゆく部分の存在を認識でき、係止部材２の頭部２１０よりもだるま孔の大径部１５２、１５６、１５６、１５２の方が大きいと認識できるので、棚板１を上方にスライド移動させることで棚板１を取り外すことができると認識できる。
【００４３】
従って、棚１の取り外し方法を仮に知らなかった使用者であっても、図５に示すように目線を低くすることで棚１の取り外し方を容易に認識できるようになる。
このように認識できるのは、だるま孔の大径部１５２、１５６、１５６、１５２の上部側の徐々に狭くなってゆく部分を頭部２１０が目隠していないからである。この効果を得るために、頭部２１０の外径の大きさは、だるま孔の小径部１５３、１５７の外形よりは大きいが、だるま孔の大径部１５２、１５６、１５６、１５２の上部側の徐々に狭くなってゆく部分を隠さない程度の大きさであることが好ましい。
【００４４】
棚１と壁面３１０は、取付けた状態でがたつき等が発生しないよう、図４（Ａ）、（Ｂ）に示す様に、壁面３１０に密着させながら押し下げるか、押し上げて着脱を行うため、背面１１０の外周縁全周にＲ形状部１７０を形成することで、着脱動作による棚１の背面１１０との擦り傷の発生を抑制することができる。
図６に示す通り、平面視状態で壁面３１０側の両角にもＲ形状部１７０を形成することが好ましい。
【００４５】
さらに、図２、図７に示す様に、係合部１５０の外周縁を囲むように、壁面３１０から離隔する方向に窪む凹部１８０を背面１１０に設けることで、着脱動作で応力が一番集中する係合部１５０の外縁と壁面３１０との擦り傷の発生を抑制することができる。
例えば、棚１の着脱動作を繰り返すと、棚１の位置合わせなどのために係止部材２の頭部２１０がだるま孔１５１、１５５の周辺部分と繰り返し干渉するが、頭部２１０が干渉する部分は凹部１８０の内側となるので、干渉により擦り傷がつくのは、凹部１８０の内側に制限される。従って、棚１の背面１１０側において傷が目立たない。
【符号の説明】
【００４６】
１…棚、１０…棚板本体、１１…前面板、１２…側面板、１３…背面板、
１１０…背面、１１１…排水路、１２０…前面、１３０…上面。１３１…窪み、
１４０…側面、１５０…係合部。１５１…端部側だるま孔、１５２…大径部、
１５３…小径部、１５４…狭持部、１５５…中央側だるま孔、１５６…大径部、
１５７…小径部、１６０…排水勾配、１７０…Ｒ形状部、１８０…凹部、
２…係止部材、２１０…頭部、２２０…軸部、２３０…貫通孔、
２４０…固定材（ネジ）、
３…浴室、３１０…壁面、３２０…浴槽、３３０…床、３４０…水栓、
３５０…エプロン。
【図１】
2020156920.tif 000003
【図２】
2020156920.tif 000004
【図３】
2020156920.tif 000005
【図４】
2020156920.tif 000006
【図５】
2020156920.tif 000007
【図６】
2020156920.tif 000008
【図７】
2020156920.tif 000009
【図８】
2020156920.tif 000010
【図９】
2020156920.tif 000011
【図１０】
2020156920.tif 000012